(57)【特許請求の範囲】
【請求項１】
屋根の上で足場板を水平状態にして使用することができるようにした屋根上足場板水平取付装置であって、この装置は水平側と屋根勾配側のＵ字型鋼２本で構成し、片側の端を可動ピンで結び、他方の端の水平側Ｕ字型鋼にはピン受け溝加工板を取り付け、屋根勾配側には弾性部材で可動ピン側に引っ張ったＵ字型連結ピンを可動ピンで取り付けたもので、Ｕ字型連結ピンを屋根の勾配に合わせ、ワンタッチで、ピン受け溝にセットして足場板に２箇所以上に取り付けて使用するもので、屋根勾配側のＵ字型鋼の２箇所の可動ピンの外側に半月自在プレートを取り付け、当該半月自在プレートの下であって屋根にタッチする部分には滑り止め部材を貼り付け、アルミ板又は軽量鋼板をプレス加工してなり、水平側Ｕ字型鋼の上面に足場板を足場板押さえボルトで取り付けられる屋根上足場板水平取付装置。
【請求項２】
請求項１記載の装置において、本体を屋根の材料に応じて大きく長く加工し、水平側のＵ字型鋼の上面に足場板の替わりにコンパネ板を足場板押さえボルトで取り付けられる屋根材料用ステージ板水平取付装置。
【発明の詳細な説明】
【技術分野】
【０００１】  本発明は、建築時の屋根作業及び屋根の点検修理作業時に、屋根足場板及び屋根材料用ステージ板を屋根の上に水平に取り付ける装置に関するものである。
【背景技術】
【０００２】  従来の屋根上作業では、屋根の勾配に応じて身体を屋根に張り付け、滑らないように又、物を落とさないように注意をして、慎重に作業を進めていたが、身体が不安定で安全性及び作業性が大変悪く、屋根の作業計画及び作業は大変なことであった。
【発明の開示】
【発明が解決しようとする課題】
【０００３】  したがって、各メーカーとも、この屋根上の作業に対して作業性、安全性を重視して研究及び開発を行ってきたが、改良がなされなかった。本発明はこうした関係者の強い要望に答えるために発明されたものである。本装置はあらゆる屋根に使用することができ、又どのような屋根勾配に対してもワンタッチで屋根足場板及び屋根材料用ステージ板が水平に取り付ける事が可能で、安全かつ軽量な屋根上足場板水平取付装置及び屋根材料用ステージ板水平取付装置である。
【課題を解決するための手段】
【０００４】  上述の目的を達成する本発明の屋根上足場板水平取付装置は屋根上で足場板を水平状態にして使用することができるようにした装置である。
この装置は屋根の上で足場板を水平状態にして使用することができるようにした屋根上足場板水平取付装置であって、この装置は水平側と屋根勾配側のＵ字型鋼２本で構成し、片側の端を可動ピンで結び、他方の端の水平側Ｕ字型鋼にはピン受け溝加工板を取り付け、屋根勾配側には弾性部材で可動ピン側に引っ張ったＵ字型連結ピンを可動ピンで取り付けたもので、Ｕ字型連結ピンを屋根の勾配に合わせ、ワンタッチで、ピン受け溝にセットして足場板に２箇所以上に取り付けて使用するもので、屋根勾配側のＵ字型鋼の２箇所の可動ピンの外側に半月自在プレートを取り付け、当該半月自在プレートの下であって屋根にタッチする部分には滑り止め部材を貼り付け、アルミ板又は軽量鋼板をプレス加工してなり、水平側Ｕ字型鋼の上面に足場板を足場板押さえボルトで取り付けられる屋根上足場板水平取付装置である。【０００５】  屋根上足場板水平取り付け装置を屋根の材料に応じて大きく長く加工し、水平側のＵ字型鋼の上面に足場板の替わりにコンパネ板を押さえボルトで取り付けられる屋根材料用ステージ板水平取付装置である。
【発明の効果】
【０００６】  以上説明したように、本発明の屋根上足場板水平取付装置及び屋根材料用ステージ板水平取付装置を足場板及びコンパネ板に２箇所以上取り付けて屋根に設置することで、足場板及び屋根材料用ステージ板が水平になり、滑る心配もなく作業を安全に行うことができる。【０００７】  あらゆる屋根に使用することができ、又どのような屋根勾配に対してもワンタッチで足場板及び屋根材料用ステージ板が水平に取り付ける事が可能で、滑らないように滑り止め部材を取り付けた屋根足場板び屋根材料用ステージ板水平取付装置である。
【発明を実施するための最良の形態】
【０００８】  以下、本発明の実施の形態を図面に基づき詳細に説明する。
（イ）本体は、水平側と屋根勾配側Ｕ字型鋼（１・２）の２本で構成し、片側を可動ピン（３Ａ）で結び、水平側Ｕ字型鋼（１）の上面に、足場板（１２）を固定する為の足場板押さえボルト（４）と足場板押さえ金具（５）を取り付ける。
（ロ）水平側Ｕ字型鋼（１）の端に屋根勾配対応用ピン受け溝加工板（６）を左右に２枚取り付ける。
（ハ）屋根勾配側Ｕ字型鋼（２）の端には、弾性部材（８）で可動ピン（３Ａ）側に引っ張ったＵ字型連結ピン（７）を可動ピン（３Ｂ）で取り付け、水平側の屋根勾配対応用ピン受け溝に結ぶ。
（ニ）屋根勾配側Ｕ字型鋼（２）２箇所の可動ピン（３Ａ・３Ｂ）の外側に半月（Ｕ字型鋼）自在プレート（９・１０）を取り付ける。
（ホ）半月（Ｕ字型鋼）自在プレート（９・１０）の下に滑り止め部材（１１）を取り付ける。
（ヘ）Ｕ字型連結ピン（７）を引っ張って、水平側の屋根勾配対応用ピン受け溝にワンタッチで結ぶことで、簡単に屋根勾配にあわせることが出来る。
（ト）本装置の先に、ロープを取り付ける長穴（１４）を設ける。
（チ）足場板の下に本装置を２個以上取り付けて、屋根の上で使用する。
以上の構成で、本体の水平側Ｕ字型鋼の上に足場板を取り付け、足場板を屋根上で水平に取りつける事が出来る装置。【０００９】  屋根上足場板水平取付装置を屋根材料等に応じて長く大きく加工し、水平側Ｕ字型鋼（１）の上面にコンパネ板（１３）を足場板押さえボルト（４）で取り付けて使用する屋根材料用ステージ板を屋根上に水平に取り付ける事が出来る装置。
【実施例】
【００１０】  足場板及び屋根材料用ステージ板の下に屋根勾配に合わせた屋根足場板及び屋根材料用ステージ板水平取付装置を２箇所以上取り付け屋根に配置する。又屋根に２〜３列の足場板を配置すれば、より安全で安心して作業に専念することができます。【００１１】  足場板又は屋根材料用ステージ板を屋根にセットする時は滑り止めの為に、本装置の先の長穴に、ロープを結んで屋根回りの組足場、又は屋根の反対側の軒下や樹木などに結びつける。【００１２】  屋根足場板水平取付装置に取り付けた滑り防止ロープへ、身に付けた安全帯を繋ぐことにより安全の確保（転落事故の防止）をする。
【産業上の利用分野】
【００１３】  本発明は屋根の工事作業及び既設屋根の点検修理作業に対しての安全設備として製造、販売する産業分野で利用することができる。
【図面の簡単な説明】
【００１４】
【図１】本発明の実施の形態に係わる屋根足場板水平取付装置の斜視図
【図２】本発明の実施の形態に係わる屋根材料用ステージ板水平取付装置の斜視図
【符号の説明】
【００１５】１          ・・・・    水平側Ｕ字型鋼
２          ・・・・    屋根勾配側Ｕ字型鋼
３Ａ・３Ｂ  ・・・・    可動ピン
４          ・・・・    足場板押さえボルト
５          ・・・・    足場板押さえ金具
６          ・・・・    ピン受け溝加工板
７          ・・・・    Ｕ字型連結ピン
８          ・・・・    弾性部材
９          ・・・・    半月（Ｕ字型鋼）自在プレート：小
１０        ・・・・    半月（Ｕ字型鋼）自在プレート：大
１１        ・・・・    滑り止め部材
１２        ・・・・    足場板
１３        ・・・・    コンパネ板
１４        ・・・・    長穴
【図１】
0004752999.tif 000002
【図２】
0004752999.tif 000003